(57)【特許請求の範囲】
【請求項１】
第１のチューナ及び第２のチューナを有するチューナ部と、前記チューナ部で処理された番組映像を表示する表示部と、番組を選択する操作ボタンを有する入力部と、これらを統括的に制御する制御部とを備え、
デジタル放送を受信して当該放送に含まれるデータを処理し番組映像として表示するようにしたデジタル放送受信装置であって、
前記入力部は、操作ボタンに接触があったときに第１の操作信号を発生し、前記操作ボタンが押し込まれたときに第２の操作信号を発生するように構成され、
前記制御部は、
前記第１のチューナで受信している番組映像の表示中に前記第１の操作信号を検出したとき、前記第１の操作信号に対応する番組の受信を前記第２のチューナで開始し、前記第２の操作信号を検出したとき、前記第２のチューナで受信中の番組映像の表示に切換えるように制御し、
前記第１の操作信号を検出してから前記第１の操作信号の検出がなくなっても所定時間が経過するまで前記第２のチューナでの番組の受信を継続し、その所定時間が経過するまでに前記第２の操作信号の検出がない場合に前記第２のチューナでの番組の受信を終了するように制御すること
を特徴とするデジタル放送受信装置。
【請求項２】
請求項１において、前記操作ボタン及びこの操作ボタンの操作により操作信号を発するリモコン側通信部を有するリモコンで構成された前記入力部と、前記リモコン側通信部から発する操作信号を受信して前記制御部に入力する本体側通信部とを備えていることを特徴とするデジタル放送受信装置。
【請求項３】
請求項１において、前記入力部は、前記操作ボタンに接触があったときに前記第１の操作信号を発生する感圧タッチセンサと、前記操作ボタンが押し込まれたときに前記第２の操作信号を発生するタクトスイッチとからなる２段階動作の入力部で構成されていることを特徴とするデジタル放送受信装置。
【請求項４】
請求項１において、前記制御部は、前記第１のチューナで受信している番組映像の表示中に前記第１の操作信号を検出したとき、前記第１の操作信号に対応する番組に関する情報を表示中の番組映像と共に表示するように制御することを特徴とするデジタル放送受信装置。
【請求項５】
請求項４において、前記チューナ部は、デジタル放送に含まれるデータをフルバージョンで処理する前記第１及び第２のチューナと、デジタル放送に含まれるデータを簡易バージョンで処理する第３のチューナとを備え、前記第１の操作信号に対応する番組に関する情報は、前記第３のチューナで処理された簡易バージョンの番組映像を含むことを特徴とするデジタル放送受信装置。
【請求項６】
請求項１において、音声を出力する音声出力部を備え、前記制御部は、前記第１のチューナで受信している番組映像の表示中に前記第１の操作信号を検出したとき、前記第１の操作信号に対応する番組に関する情報を前記音声出力部から音声で出力するように制御することを特徴とするデジタル放送受信装置。
【請求項７】
請求項２において、前記本体側通信部と前記リモコン側通信部とは無線で信号を相互に送受信可能に構成され、第１の音声出力部と前記リモコンに内蔵された第２の音声出力部とを有する音声出力部を備え、前記制御部は、前記表示部に表示される番組映像に関する音声情報を前記第１の音声出力部から音声出力すると共に、接触された操作ボタンに関する音声情報を前記第２の音声出力部から音声出力するように制御することを特徴とするデジタル放送受信装置。
【請求項８】
請求項７において、前記制御部は、前記第１の音声出力部から出力する音声より前記第２の音声出力部から出力する音声の方を大きくするように制御することを特徴とするデジタル放送受信装置。
【請求項９】
請求項７において、前記制御部は、前記第２の音声出力部から出力する音声の音域と同じ音域の前記第１の音声出力部から出力する音声を小さくするように制御することを特徴とするデジタル放送受信装置。
【請求項１０】
請求項１において、前記制御部は、前記第１の操作信号を検出してから前記第２の操作信号の検出がないまま前記第１の操作信号が別のキーに変更された場合に前記第２のチューナの受信を前記別のキーに対応する番組の受信に切換えるように制御することを特徴とするデジタル放送受信装置。
【発明の詳細な説明】
【技術分野】
【０００１】
本発明は、デジタル放送受信装置に係り、特にデジタル放送を受信して表示部に表示する番組映像を入力部の操作で切換えるようにしたデジタル放送受信装置に好適なものである。
【背景技術】
【０００２】
従来のデジタル放送受信装置としては、例えば特開２００５−１３６４７７号公報（特許文献１）に記載されたものがある。このデジタル放送受信装置は、チューナ部、制御部（ＣＰＵ）、表示部（ディスプレイ）、音声出力部（スピーカ）、記憶部（ＲＯＭ）、操作信号受光部、リモコン（リモートコマンダ）を備えて構成されている。前記チューナ部は、地上波デジタル放送に対応した第１チューナとＢＳ（Broadcasting Satellite）／ＣＳ（Communication Satellite）に対応した第２チューナを備えて、複数のデジタル放送を受信可能に構成されている。前記制御部は、リモコンにより入力された操作信号に応じた放送チャンネルの切換え、及び地上波デジタル放送・ＢＳ／ＣＳデジタル放送の切換えを行うための制御を実行するように構成されている。
【０００３】
【特許文献１】特開２００５−１３６４７７号公報
【発明の開示】
【発明が解決しようとする課題】
【０００４】
近年、地上波デジタル放送・ＢＳデジタル放送・ＣＳデジタル放送などのデジタル放送が普及してきており、特許文献１を含む種々のデジタル放送受信装置が案出されている。しかし、デジタル放送受信装置では、一般的に、デジタル化されたデータを受信しデコードして表示するまでに１秒ほどのタイムラグが生じていた。番組映像を楽しんでいる間ではタイムラグそのものは気にならないが、同一デジタル放送内でチャンネルを変える操作や各デジタル放送間の切換え操作などを行って番組映像を切換える際に、その番組映像の表示がタイムラグ分だけ遅れ、その番組映像の表示をその分だけ待たなければならない、という問題があった。
【０００５】
一方、番組映像を楽しんでいる際に、他のチャンネルで放送されている番組が気になった場合、リモコンを操作してチャンネルを切換え、見ていた番組映像を一旦中断して他のチャンネルの番組映像を見てまわる必要があり、非常に不便であった。
【０００６】
なお、ダブルウィンドウやＰｉｎＰなどの機能により２画面同時に番組映像を見ることができる放送受信装置もあるが、そういった特殊機能の起動、双方の画面の選局、見たい番組が決まった後に全画面に戻す操作といった複雑な操作と、何回も手元のリモコンボタンを見て確認しながら操作する必要があり、使い勝手の良いものとはいえなかた。
【０００７】
また、視覚障害者がデジタル放送受信装置により番組音声を楽しむことが多くなってきている。その場合、画面に表示されるＥＰＧ（Electronic Program Guide）などの番組情報の他に、音声による番組情報を提供することが望まれる。
【０００８】
本発明の目的は、デジタル放送の番組映像を切換える際に、使い勝手良く切換えられ且つ速やかに番組映像が表示されるデジタル放送受信装置を提供することにある。
【課題を解決するための手段】
【０００９】
前述の目的を達成するために、本発明は、第１のチューナ及び第２のチューナを有するチューナ部と、前記チューナ部で処理された番組映像を表示する表示部と、番組を選択する操作ボタンを有する入力部と、これらを統括的に制御する制御部とを備え、デジタル放送を受信して当該放送に含まれるデータを処理し番組映像として表示するようにしたデジタル放送受信装置であって、前記入力部は、操作ボタンに接触があったときに第１の操作信号を発生し、前記操作ボタンが押し込まれたときに第２の操作信号を発生するように構成され、前記制御部は、前記第１のチューナで受信している番組映像の表示中に前記第１の操作信号を検出したとき、前記第１の操作信号に対応する番組の受信を前記第２のチューナで開始し、前記第２の操作信号を検出したとき、前記第２のチューナで受信中の番組映像の表示に切換えるように制御し、前記第１の操作信号を検出してから前記第１の操作信号の検出がなくなっても所定時間が経過するまで前記第２のチューナでの番組の受信を継続し、その所定時間が経過するまでに前記第２の操作信号の検出がない場合に前記第２のチューナでの番組の受信を終了するように制御することにある。
【００１０】
係る本発明のより好ましい具体的な構成例は次の通りである。
（１）前記操作ボタン及びこの操作ボタンの操作により操作信号を発するリモコン側通信部を有するリモコンで構成された前記入力部と、前記リモコン側通信部から発する操作信号を受信して前記制御部に入力する本体側通信部とを備えていること。
（２）前記入力部は、前記操作ボタンに接触があったときに前記第１の操作信号を発生する感圧タッチセンサと、前記操作ボタンが押し込まれたときに前記第２の操作信号を発生するタクトスイッチとからなる２段階動作の入力部で構成されていること。
（３）前記制御部は、前記第１のチューナで受信している番組映像の表示中に前記第１の操作信号を検出したとき、前記第１の操作信号に対応する番組に関する情報を表示中の番組映像と共に表示するように制御すること。
（４）前記チューナ部は、デジタル放送に含まれるデータをフルバージョンで処理する前記第１及び第２のチューナと、デジタル放送に含まれるデータを簡易バージョンで処理する第３のチューナとを備え、前記第１の操作信号に対応する番組に関する情報は、前記第３のチューナで処理された簡易バージョンの番組映像を含むこと。
（５）音声を出力する音声出力部を備え、前記制御部は、前記第１のチューナで受信している番組映像の表示中に前記第１の操作信号を検出したとき、前記第１の操作信号に対応する番組に関する情報を前記音声出力部から音声で出力するように制御すること。
（６）前記本体側通信部と前記リモコン側通信部とは無線で信号を相互に送受信可能に構成され、第１の音声出力部と前記リモコンに内蔵された第２の音声出力部とを有する音声出力部を備え、前記制御部は、前記表示部に表示される番組映像に関する音声情報を前記第１の音声出力部から音声出力すると共に、接触された操作ボタンに関する音声情報を前記第２の音声出力部から音声出力するように制御すること。
（７）前記制御部は、前記第１の音声出力部から出力する音声より前記第２の音声出力部から出力する音声の方を大きくするように制御すること。
（８）前記制御部は、前記第２の音声出力部から出力する音声の音域と同じ音域の前記第１の音声出力部から出力する音声を小さくするように制御すること。
（９）前記制御部は、前記第１の操作信号を検出してから前記第２の操作信号の検出がないまま前記第１の操作信号が別のキーに変更された場合に前記第２のチューナの受信を前記別のキーに対応する番組の受信に切換えるように制御すること。
【発明の効果】
【００１１】
本発明によれば、デジタル放送の番組映像を切換える際に、使い勝手良く切換えられ且つ速やかに番組映像が表示されるデジタル放送受信装置を提供することができる。
【発明を実施するための最良の形態】
【００１２】
以下、本発明の複数の実施形態について図を用いて説明する。各実施形態の図における同一符号は同一物または相当物を示す。
（第１実施形態）
本発明の第１実施形態のデジタル放送受信装置を図１から図８Ｃを用いて説明する。
【００１３】
まず、本実施形態のデジタル放送受信装置１の全体に関して図１を参照しながら説明する。図１は本発明の第１実施形態のデジタル放送受信装置１を示す全体構成図である。本実施形態では一般的なＴＶ受像機の例で説明するが、本発明はデジタル放送が受信可能なパーソナルコンピュータや携帯電話端末などもデジタル放送受信装置として適用可能である。
【００１４】
デジタル放送受信装置１は、複数のデジタル放送、例えば地上波デジタル放送・ＢＳデジタル放送・ＣＳデジタル放送などを受信して当該放送に含まれるデータを処理し番組映像として表示するものである。そして、このデジタル放送受信装置１は、受信装置本体部１０とリモートコントローラ（リモコン）２０とを備えて構成されている。
【００１５】
受信装置本体部１０は、チューナ部１１と、本体側記憶部１２と、番組映像などを表示する表示部１３と、音声出力部１４と、本体側通信部１５と、これらを統括的に制御する本体側制御部１６とを備えて構成されている。なお、デジタル放送受信装置１における記憶部は、本体側記憶部１２と後述するリモコン側記憶部２４とから構成されている。また、デジタル放送受信装置１における制御部は、本体側制御部１６と後述するリモコン側制御部２３とから構成されている。
【００１６】
チューナ部１１は、アンテナ１７で受信したデジタル放送に含まれるデータを処理するものであり、ＢＳチューナ１１ａ、ＣＳチューナ１１ｂ、地上波デジタルチューナ１１ｃ及び地上波アナログチューナ１１ｄからなる複数のチューナを備えて構成されている。
【００１７】
ＢＳチューナ１１ａは、アンテナ１７で受信したＢＳデジタル放送に含まれるデータを処理するチューナであり、複数のチューナ１１ａ１、１１ａ２を備えて構成されている。ＣＳチューナ１１ｂは、アンテナ１７で受信したＣＳデジタル放送に含まれるデータを処理するチューナであり、複数のチューナ１１ｂ１、１１ｂ２を備えて構成されている。地上波デジタル１１ｃは、アンテナ１７で受信した地上波デジタル放送に含まれるデータを処理するチューナであり、複数のチューナ１１ｃ１、１１ｃ２を備えて構成されている。地上波アナログチューナ１１ｄは、アンテナ１７で受信した地上波アナログ放送に含まれるデータを処理するチューナであり、複数のチューナ１１ｄ１、１１ｄ２を備えて構成されている。これらのデジタル放送用チューナは、アンテナ１７で受信したデジタル放送に含まれるデータをフルバージョンで処理するチューナである。
【００１８】
なお、本発明における第１のチューナおよび第２のチューナは、番組の受信状態及び操作状態によって特定されるものであり、多数のチューナがある場合には固定的なものではない。
【００１９】
本体側記憶部１２は、実行プログラムや各種データなどを予め格納していると共に、受信したデジタル放送に含まれるデータ、例えばＥＰＧデータなどを格納するものである。このＥＰＧデータはチューナ部１１を通して放送をデコードすることにより生成される。
【００２０】
表示部１３は、表示画面を有し、ＰＤＰ（プラズマディスプレイパネル）や液晶ディスプレイパネルなどの表示パネルで構成されている。
【００２１】
音声出力部１４は、音声を出力するスピーカなどで構成されている。この音声出力部１４は、表示部１３の上下、左右の両側などに付属して設置され、表示部１３に表示される番組映像や番組に関する音声情報などが音声出力される。
【００２２】
本体側通信部１５は、リモコン２０と通信を行うためのものであり、赤外線受光部で構成されている。リモコン２０からの赤外線による指令信号が本体側通信部１５で受光されて、本体側制御部１６に送られる。
【００２３】
本体側制御部１６は、リモコン２０からの指令信号に応じて、各部の制御を行う。そして、本体側制御部１６の制御のもとに、アンテナ１７で受信されたデジタル放送がチューナ部１１で処理され、処理された番組映像が表示部１１で表示され、また、処理された音声情報が音声出力部１３に供給されて音声出力される。また、リモコン２０から送られる操作信号（コード）に従って、本体側制御部１６が本体側記憶部１２から当該操作信号に対応するテキストデータを読み取り、音声合成アルゴリズムを実行して音声出力部１４から音声が出力される。
【００２４】
リモコン２０は、入力部を構成するものであり、操作部２１と、リモコン側通信部２２と、リモコン制御部２３と、リモコン記憶部２４とを備えて構成されている。
【００２５】
このリモコン２０は、操作ボタン３０（図２〜図４参照）にユーザの指などの接触があったときに第１の操作信号を発生し、ユーザの指などで操作ボタン３０が押し込まれたときに第２の操作信号を発生するように構成されている。かかる構成によって、ユーザは、操作ボタン３０の中の何れかに接触してから押し込む、という通常行っている一連の操作により、第１の操作信号と第２の操作信号とを時系列的に発生することができる。従って、このリモコン２０によれば、面倒な操作を伴うことなく、２つの時系列的な操作信号を発生させることができる。
【００２６】
本体側制御部１６は、第１のチューナ（例えばＢＳチューナ１１ａ１）で受信している番組映像の表示中に第１の操作信号を検出したとき、第１の操作信号に対応する番組の受信を第２のチューナ（例えばＢＳチューナ１１ａ２）で開始し、第２の操作信号を検出したとき、第２のチューナ（ＢＳチューナ１１ａ２）で受信中の番組映像の表示に切換えるように制御する機能を有している。即ち、ユーザが表示中の番組以外の番組を見ようとする場合に、ユーザが操作ボタン３０の中の何れかに接触する操作により、その操作ボタン３０に対応する番組の受信が開始されるので、その操作ボタン３０をさらに押し込んでその番組映像の表示する際には、その表示の準備が進行しており、速やかに番組映像を表示することができる。しかも、操作ボタン３０をさらに押し込んで表示モードを切換えるまでは、それまでの番組映像の表示を継続することができるので、より長く表示中の番組映像を楽しむことができると共に、切換え時の違和感を軽減することができる。
【００２７】
次に、リモコン２０の詳細を図２から図４を参照しながら説明する。図２は図１のリモコン２０の平面図、図３は図２のリモコン２０の断面概略図、図４は図２のリモコン２０のボタン操作を説明する図である。図４（ａ）は操作ボタン３０にユーザの指が接触した状態を示し、図４（ｂ）は図４（ａ）の状態からユーザの指で操作ボタン３０がさらに押し込まれた状態を示す。
【００２８】
リモコン２０は、操作部２１、リモコン側通信部２２及び電池２５を配置している。操作部２１は、操作ボタン３０、第１回路基板３３、操作タクトスイッチ４０、第２回路基板４３、電源ボタン４４、電源タクトスイッチ４５を備えている。
【００２９】
操作ボタン３０は放送モードボタン３１及びチャンネルボタン３２からなるボタン群で構成されている。放送モードボタン３１は、複数のデジタル放送モード、例えば、地上波デジタル放送モード・ＢＳデジタル放送モード・ＣＳデジタル放送モード、アナログ放送モードなどの中から何れかを選択するためにユーザにより操作されるものである。チャンネルボタン３２は、放送モードボタン３１で選択された放送モードにおける各チャンネルを選択するためにユーザにより操作されるものである。
【００３０】
放送モードボタン３１及びチャンネルボタン３２は第１回路基板３３に搭載されている。ユーザが指などを放送モードボタン３１またはチャンネルボタン３２に接触すると、接触された放送モードボタン３１またはチャンネルボタン３２が接触圧を感知し、その感知信号がリモコン制御部２３に送られる。例えば、図４（ａ）に示すようにユーザが指をチャンネルボタン３２に接触すると、その接触したチャンネルボタン３２が接触圧を感知し、その感知信号がリモコン制御部２３に送られる。リモコン制御部２３はその検出結果に基づいて、リモコン記憶部２４に格納され所定の制御信号コードを読み出して第１の操作信号とする。この第１の操作信号はリモコン側通信部２２より本体側通信部１５に発信され、本体側通信部１５から本体側制御部１６に入力される。
【００３１】
操作タクトスイッチ４０は放送モードタクトスイッチ４１及びチャンネルタクトスイッチ４２からなっている。放送モードタクトスイッチ４１は、放送モードボタン３１に対応して設けられており、チャンネルタクトスイッチ４２はチャンネルボタン３２に対応して設けられている。
【００３２】
放送モードタクトスイッチ４１及びチャンネルタクトスイッチ４２は第２回路基板４３に搭載されている。ユーザが放送モードボタン３１またはチャンネルボタン３２を押し込むと、押し込まれた放送モードボタン３１またはチャンネルボタン３２に対応する放送モードタクトスイッチ４１またはチャンネルタクトスイッチ４２が閉路して、その閉路信号がリモコン制御部２３に送られる。例えば、図４（ｂ）に示すようにユーザがチャンネルボタン３２を押し込むと、そのチャンネルボタン３２に対応するチャンネルタクトスイッチ４２が閉路して、その閉路信号がリモコン制御部２３に送られる。リモコン制御部２３はその検出結果に基づいて所定の制御信号コードを生成して第２の操作信号とする。この第２の操作信号はリモコン側通信部２２より本体側通信部１５に発信され、本体側通信部１５から本体側制御部１６に入力される。
【００３３】
電源ボタン４４は操作ボタン３０と同じ面に設置されている。電源タクトスイッチ４５は、第２回路基板４３に搭載され、電源ボタン４４の押し込みによって閉路される。
【００３４】
次に、本実施形態のデジタル放送受信装置１の具体的な動作を図５、図６、図７Ａ〜図７Ｃ、図８Ａ〜図８Ｃを参照しながら説明する。図５は図１のデジタル放送受信装置１の動作フローチャート、図６〜図８Ｃは図５の動作フローチャートに対応する表示画面例を示す図である。なお、図７Ａ〜図８Ｃでは表示画面例と共にリモコン２０も並べて示す。
【００３５】
リモコン２０の電源ボタン４４を操作して電源タクトスイッチ４５をオンすることにより、本体側制御部１６は待機状態となる（ステップＳ１）。この待機状態では、電源タクトスイッチ４５が先にオフされる際に選択されていた放送モード及びチャンネル番号に基づいた番組映像（換言すれば、それ以前の放送モードで最後に見たチャンネル番号の番組映像）を表示部１３に表示する。例えば、図６の表示画面例は、放送モードがＢＳデジタル放送で、チャンネル番号が１０１ＡＡＡの例であり、ＢＳチューナ１１ａ１が第１のチューナとして動作していることとなる。以下、この図６の表示画面例から遷移する画面例を参照しながら説明する。
【００３６】
この待機状態で、ユーザがリモコン２０の操作ボタン３０に接触したか（第１の操作信号を検出したか）判定し（ステップＳ２）、その操作ボタン３０への接触があるまで（第１の操作信号が検出されるまで）その状態を維持する。ステップＳ２で、操作ボタン３０への接触があった（第１の操作信号が検出された）と判定した場合には、リモコン２０の放送モードボタン３１にユーザが接触したかどうかを判定する（ステップＳ３）。
【００３７】
ステップＳ３で放送モードボタン３１に接触がなかったと判定した場合には、放送モードボタン３１ではなくチャンネルボタン３２に接触があった（チャンネルボタン３２による第１の操作信号が検出された）ということであり、ステップＳ４に進む。
【００３８】
ステップＳ４に進むと、図７Ａに示すように、表示部１３の表示画面に、表示中の番組映像と共に、放送モード及びチャンネル番号などの情報を表示する。この表示は、リモコン２０の操作ボタン３０群と同じ配列で行う。これによって、ユーザは手元を見なくても、今接触している操作ボタン３０（チャンネル）の位置関係を直感的に把握できる。
【００３９】
このとき、選択されている放送モード及びチャンネル番号が容易に分かるような印（図７Ａでは囲み枠）を付けて表示する。また、接触されたチャンネルボタン３２（図７Ａではチャンネルボタン５）のチャンネル番号の内容が容易に分かるように、そのチャンネル番号部分に印（図７Ａでは黒塗り）を表示すると共に、チャンネル番号１５１ＥＥＥ及びその番組ガイド情報「ワールドカップサッカー  日本対ブラジル」を拡大して表示する。これによって、ユーザは、極めて簡単な操作で、次の番組映像を主画面に表示することなく待機した状態で、次に表示しようとしている番組情報を容易に把握することができる。この番組情報の表示と共に、音声出力部１４からチャンネル情報（例えば、放送モード名、チャンネル番号、番組ガイド情報など）を音声出力する。これによって、ユーザは、次に表示しようとしている番組情報をさらに容易に把握することができる。
【００４０】
また、ステップＳ４に進むと、接触があったチャンネルボタン３２に対応する番組の受信が開始される。図７Ａでは、ＢＳデジタル放送のチャンネル番号１５１ＥＥＥの番組がＢＳチューナ１１ａ２を第２のチューナとして受信が開始される。
【００４１】
この状態で、チャンネルボタン３２への接触が解除されたか（第１の操作信号の検出がなくなったか）判定され（ステップＳ５）、接触が解除された場合には、接触されたチャンネルボタン３２に対応する情報の画面表示および音声出力を終了してステップＳ２に戻る（ステップＳ６）。
【００４２】
ここで、第１の操作信号を検出してから第１の操作信号の検出がなくなっても所定時間が経過するまで第１のチューナ１１ａ１での番組の受信を継続し、その所定時間が経過するまでに第２の操作信号の検出がない場合に第２のチューナ１１ａ２での番組の受信を終了するようにしてもよい。そうすることによって、ユーザがチャンネルボタン３２へ接触して次の番組を確認している間に意図せずに指が離れたとしても、第１のチューナ１１ａ１での番組の受信が継続され、所定時間内にチャンネルボタン３２を押し込んだ場合に、直ちに次の番組映像が表示できる利点がある。
【００４３】
ステップＳ６からステップＳ２に戻り、ユーザが別のチャンネルボタン３２に接触した場合、例えば、図７Ｂに示すようにチャンネルボタン８に接触した場合には、上述したステップＳ４と同様の動作を行い、ステップＳ５に至る。なお、ここでのステップＳ４では、図７Ｂに示すように、チャンネル番号１８１ＨＨＨ及びその番組ガイド情報「時代劇ドラマスペシャル」に変更されている。
【００４４】
ステップＳ５の判定でチャンネルボタン３２への接触が解除されていない場合には、そのチャンネルボタン３２が押し込まれたか（第２の操作信号を検出したか）を判定し（ステップＳ７）、チャンネルボタン３２が押し込まれていない場合には、ステップＳ５に戻って繰り返し動作される。
【００４５】
ステップＳ７の判定で、チャンネルボタン３２が押し込まれた（第２の操作信号が検出された）と判定された場合には、図７Ｃに示すように、主画面の表示を第２のチューナ１１ａ２で処理された番組映像に切換える（ステップＳ８）。
【００４６】
ここで、表示部１３の主画面には、第２のチューナ１１ａ２で処理された番組映像へのデコードが完了次第表示される。ユーザがチャンネルボタン３２に接触して番組情報を確認してからチャンネルボタン３２を押し込む通常の操作によれば、チャンネルボタン３２に番組映像が直ちに表示されることとなる。ユーザがチャンネルボタン３２を最初から押し込む操作をした場合でも、押し込む前にチャンネルボタン３２への接触が先行しており、表示部１３への番組映像の表示は従来よりも短時間で行われる。そして、ステップＳ８の制御を行った後に、ステップＳ２に戻る。
【００４７】
なお、図７Ｃにおける放送モード及びチャンネル番号などの情報の表示は、チャンネルボタン３２からユーザの指が離れることにより消える。
【００４８】
ステップＳ３で放送モードボタン３１に接触があったと判定した場合には、チャンネルボタン３２ではなく放送モードボタン３１に接触があった（放送モードボタン３１による第１の操作信号が検出された）ということであり、ステップＳ９に進む。
【００４９】
ステップＳ９に進むと、図８Ａに示すように、表示部１３の表示画面に、表示部１３の表示画面に、表示中の番組映像と共に、放送モード及びそれ以前にその放送モードで最後に見たチャンネル番号などの情報を表示する。
【００５０】
このとき、選択されている放送モード及びチャンネル番号が容易に分かるような印（図８Ａでは、放送モードが黒塗り、チャンネル番号が囲み枠）を付けて表示する。また、接触された放送モードボタン３１（図８Ａでは放送モードボタンＣＳ）のチャンネル番号の番組情報が容易に分かるように、チャンネル番号９７３ｒｒｒ及びその番組ガイド情報「映画ファンダイジェスト」を拡大して表示する。これによって、ユーザは、極めて簡単な操作で、次の番組映像を主画面に表示することなく待機した状態で、次に表示しようとしている番組情報を容易に把握することができる。この画面表示と共に、音声出力部１４からチャンネル情報（例えば、放送モード名、チャンネル番号、番組ガイド情報など）を音声出力する。これによって、ユーザは、次に表示しようとしている番組情報をより一層容易に把握することができる。
【００５１】
また、ステップＳ９に進むと、接触があった放送モードボタン３１に対応する番組の受信が開始される。図８Ａでは、ＣＳデジタル放送のチャンネル番号９７３ｒｒｒの番組がＣＳチューナ１１ｂ１を第２のチューナとして受信が開始される。この場合において、ＢＳチューナ１１ａ２が第１のチューナとなる。
【００５２】
この状態で、放送モードボタン３１への接触が解除されたか（第１の操作信号の検出がなくなったか）判定され（ステップＳ１０）、接触が解除された場合には、接触された放送モードボタン３１に対応する情報の画面表示および音声出力を終了してステップＳ２に戻る（ステップＳ１１）。
【００５３】
ここで、第１の操作信号を検出してから第１の操作信号の検出がなくなっても所定時間が経過するまで第１のチューナ１１ａ２での番組の受信を継続し、その所定時間が経過するまでに第２の操作信号の検出がない場合に第２のチューナ１１ａ２での番組の受信を終了するようにしてもよい。そうすることによって、ユーザがチャンネルボタン３２へ接触して次の番組を確認している間に意図せずに指が離れたとしても、第１のチューナ１１ａ２での番組の受信が継続され、所定時間内にチャンネルボタン３２を押し込んだ場合に、直ちに次の番組映像が表示できる利点がある。
【００５４】
ステップＳ１０の判定で放送モードボタン３１への接触が解除されていない場合には、その放送モードボタン３１が押し込まれたか（第２の操作信号を検出したか）を判定し（ステップＳ１２）、放送モードボタン３１が押し込まれていない場合には、ステップＳ１０に戻って繰り返し動作される。
【００５５】
ステップＳ１２の判定で、放送モードボタン３１が押し込まれた（第２の操作信号が検出された）と判定された場合には、図８Ｂに示すように、表示部１３の画面表示を第２のチューナ１１ｂ１で処理された番組映像に切換える（ステップＳ１３）。
【００５６】
ここで、表示部１３の主画面には、第２のチューナ１１ｂ１で処理された番組映像へのデコードが完了次第表示される。ユーザが放送モードボタン３１に接触して番組情報を確認してから放送モードボタン３１を押し込む通常の操作によれば、第２のチューナ１１ｂ１で処理される際に生ずるタイムラグを経過していることが通常であり、放送モードボタン３１に番組映像が直ちに表示される。ユーザが放送モードボタン３１を直ぐに押し込む操作をした場合でも、押し込む前に放送モードボタン３１への接触が先行しており、表示部１３への番組映像の表示は従来よりも短時間で行われる。そして、ステップＳ８の制御を行った後に、ステップＳ２に戻る。
【００５７】
なお、図８Ｂにおける放送モード及びチャンネル番号などの情報の表示は、チャンネルボタン３２からユーザの指が離れることにより消える。
【００５８】
ステップＳ１３からステップＳ２に戻り、ユーザがチャンネルボタン３２に接触した場合、例えば、図８Ｃに示すようにチャンネルボタン１に接触した場合には、上述したステップＳ９と同様の動作を行い、ステップＳ１０に至る。なお、ここでのステップＳ９では、図８Ｃに示すように、チャンネル番号９６１ｍｍｍ及びその番組ガイド情報「洋画の仲間コレクション」に変更されている。以下、上述したステップＳ１０以降の動作と同様の動作を行うので、その説明を省略する。
（第２実施形態）
次に、本発明の第２実施形態のデジタル放送受信装置１について図９及び図１０を用いて説明する。図９は本発明の第２実施形態のデジタル放送受信装置１を示す全体構成図、図１０Ａ〜図１０Ｃは図９のデジタル放送受信装置１における画面例を示す図である。この第２実施形態は、次に述べる点で第１実施形態と相違するものであり、その他の点については第１実施形態と基本的には同一であるので、重複する説明を省略する。
【００５９】
この第２実施形態では、地上波デジタルチューナ１１ｃは、複数の地上波デジタルフルチューナ１１ｃ１、１１ｃ２と、地上波デジタルワンセグチューナ１１ｃ３とから構成されている。なお、地上波デジタルフルチューナ１１ｃ２は図１１では省略してある。この地上波デジタルフルチューナ１１ｃ１、１１ｃ２は、第１実施形態に示すものと同様に、アンテナ１７で受信した地上波デジタル放送に含まれるデータをフルバージョンで処理するチューナであり、表示部１３に表示されるまでのタイムラグが大きい。一方、地上波デジタルワンセグチューナ１１ｃ３は、アンテナ１７で受信した地上波デジタル放送に含まれるデータを簡易バージョンで処理するチューナであり、表示部１３に表示されるまでのタイムラグが極めて小さい。
【００６０】
第２実施形態は、地上波デジタルワンセグチューナ１１ｃ３を利用して、例えば第１実施形態のステップＳ４における図７Ａの画面例の代わりに、図１０Ａの画面例ようにプレビュー画面で表示するようにしたものである。即ち、文字による番組ガイド情報「ワールドカップサッカー  日本対ブラジル」を「ワールドカップ」に短縮すると共に、その空いたスペースに地上波デジタルワンセグチューナ１１ｃ３で簡易処理された番組映像をプレビュー画面に表示するようにしたものである。これによって、ユーザは、次に表示しようとしている番組映像の簡易映像をプレビュー画面で直ぐに把握することができる。なお、第１の操作信号を検出すると、地上波デジタルワンセグチューナ１１ｃ３と共に、地上波デジタルフルチューナ１１ｃ２もデータの処理を開始しており、この両者が第２のチューナを構成することとなる。
【００６１】
ユーザは、このプレビュー画面の番組映像を見ながら、その番組を見たいと思えば、操作ボタン３０をそのまま押し込むことにより、地上波デジタルフルチューナ１１ｃ２でデータの処理したフルバージョンの番組映像を主画面に表示することができる。また、他の番組を見たいと思えば、接触していた操作ボタン３０（チャンネルボタン５）から他の操作ボタン３０（チャンネルボタン８）への接触に変更することにより、次に表示しようとしている番組映像の主画面への表示を伴うことなく、例えば図１０Ｂの画面例の表示に移行できる。この図１０Ｂの画面例も図１０Ａと同様に文字表示が短縮され、地上波デジタルワンセグチューナ１１ｃ３で簡易処理された番組映像が表示される。
【００６２】
そして、ユーザは、接触している操作ボタン（チャンネルボタン８）を押し込むことにより、図１０Ｃに示すように、主画面にフルバージョンの番組映像を表示することができる。
（第３実施形態）
次に、本発明の第３実施形態のデジタル放送受信装置１について図１１から図１４を用いて説明する。図１１は本発明の第３実施形態のデジタル放送受信装置１を示す全体構成図、図１２は図１１のリモコンの平面図、図１３は図１２のリモコンの断面概略図、図１４は第３実施形態における音声低減方法を説明する図である。この第３実施形態は、次に述べる点で第１実施形態と相違するものであり、その他の点については第１実施形態と基本的には同一であるので、重複する説明を省略する。
【００６３】
この第３実施形態では、本体側通信部１５とリモコン側通信部２２とは無線（電波）で信号を相互に送受信可能なアンテナで構成されている。また、デジタル放送受信装置１における音声出力部は、第１の音声出力部である本体側音声出力部１４ａと、第２の音声出力部であるリモコン側音声出力部１４ｂとから構成されている。
【００６４】
本体側音声出力部１４ａは、本体側制御部１６の制御指令に基づいて、表示部１３に表示される番組映像に関する音声情報を音声出力するように構成されている。この本体側音声出力部１４ａによる音声出力は、番組情報に関する音声出力をリモコン側に変更したことを除いて、第１実施形態における音声出力部１４の音声出力と基本的には同じである。
【００６５】
リモコン側音声出力部１４ｂは、リモコン２０に内蔵されると共に、リモコン側本体側制御部１６の制御指令に基づいて、接触された操作ボタン３０に関する音声情報を音声出力するように構成されている。具体的には、リモコン側音声出力部１４ｂは、図１２及び図１３に示すように、第２回路基板４３に接続されたスピーカで構成され、上面から音を出すようになっている。
【００６６】
チューナ部１１でデータ処理された番組情報に関する音声データは、本体側通信部１５からリモコン側通信部１５に発信される。リモコン側通信部１５で受信した音声データは、リモコン側制御部２３の制御のもとに、リモコン側音声出力部１４ｂで音声に変換されて出力される。
【００６７】
このように、性質の異なる音声（番組映像の音声と番組情報の音声）を区別すると共に番組情報に関する音声をユーザの身近に位置するリモコンから出力するようにしたことにより、ユーザは、番組映像の音声を番組情報の音声と区別して聞き分けることが容易となり、しかも、番組の変更を意図しているユーザがその時点で最も関心の高い番組情報の音声を確実に聞くことができる。
【００６８】
また、制御部１６、２３は、本体側音声出力部１４ａから出力する音声よりリモコン側音声出力部１４ｂから出力する音声の方を大きくするように制御する。これによって、番組の変更を意図しているユーザがその時点で最も関心の高い番組情報の音声をさらに確実に聞くことができる。
【００６９】
さらに、制御部１６、２３は、リモコン側音声出力部１４ｂから出力する音声の音域と同じ音域の本体側音声出力部１４ａから出力する音声を小さくするように制御する。即ち、一般的な音読声域は、図１４（ａ）に示すように、１５０〜６００Ｈｚの基本周波数域で音が高くなることが知られているので、リモコン側音声出力部１４ｂから音声を出力する際に、本体側音声出力部１４ａから出力する音声に、図１４（ｂ）に示すような１５０〜６００Ｈｚの基本周波数域で音性フィルタ特性が小さい音声フィルタをかけて出力する。これによって、番組の変更を意図しているユーザがその時点で最も関心の高い番組情報の音声をさらに確実に聞くことができる。
【図面の簡単な説明】
【００７０】
【図１】本発明の第１実施形態のデジタル放送受信装置を示す全体構成図である。
【図２】図１のリモコンの平面図である。
【図３】図２のリモコンの断面概略図である。
【図４】図２のリモコンのボタン操作を説明する図である。
【図５】図１のデジタル放送受信装置の動作フローチャートである。
【図６】図５の動作フローチャートに対応する第１表示画面例を示す図である。
【図７Ａ】図５の動作フローチャートに対応する第２表示画面例を示す図である。
【図７Ｂ】図５の動作フローチャートに対応する第３表示画面例を示す図である。
【図７Ｃ】図５の動作フローチャートに対応する第４表示画面例を示す図である。
【図８Ａ】図５の動作フローチャートに対応する第５表示画面例を示す図である。
【図８Ｂ】図５の動作フローチャートに対応する第６表示画面例を示す図である。
【図８Ｃ】図５の動作フローチャートに対応する第７表示画面例を示す図である。
【図９】本発明の第２実施形態のデジタル放送受信装置を示す全体構成図である。
【図１０Ａ】図９のデジタル放送受信装置における第１画面例を示す図である。
【図１０Ｂ】図９のデジタル放送受信装置における第２画面例を示す図である。
【図１０Ｃ】図９のデジタル放送受信装置における第３画面例を示す図である。
【図１１】本発明の第３実施形態のデジタル放送受信装置を示す全体構成図である。
【図１２】図１１のリモコンの平面図である。
【図１３】図１２のリモコンの断面概略図である。
【図１４】第３実施形態における音声低減方法を説明する図である。
【符号の説明】
【００７１】
１…デジタル放送受信装置、１０…受信装置本体部、１１…チューナ部、１１ａ…ＢＳチューナ、１１ｂ…ＣＳチューナ、１１ｃ…地上波デジタルチューナ、１１ｄ…地上波アナログチューナ、１２…本体側記憶部、１３…表示部、１４…音声出力部、１４ａ…本体側音声出力部、１４ｂ…リモコン側音声出力部、１５…本体側通信部、１６…本体側制御部、１７…アンテナ、１８…、１９…、２０…リモートコントローラ（リモコン）・入力部、２１…操作部、２２…リモコン側通信部、２３…リモコン制御部、２４…リモコン記憶部、２５…電池、３０…操作ボタン、３１…放送モードボタン、３２…チャンネルボタン、３３…第１回路基板、４０…操作タクトスイッチ、４１…放送モードタクトスイッチ、４２…チャンネルタクトスイッチ、４３…第２回路基板、４４…電源ボタン、４５…電源タクトスイッチ。
【図１】
0004814673.tif 000002
【図２】
0004814673.tif 000003
【図３】
0004814673.tif 000004
【図４】
0004814673.tif 000005
【図５】
0004814673.tif 000006
【図６】
0004814673.tif 000007
【図７Ａ】
0004814673.tif 000008
【図７Ｂ】
0004814673.tif 000009
【図７Ｃ】
0004814673.tif 000010
【図８Ａ】
0004814673.tif 000011
【図８Ｂ】
0004814673.tif 000012
【図８Ｃ】
0004814673.tif 000013
【図９】
0004814673.tif 000014
【図１０Ａ】
0004814673.tif 000015
【図１０Ｂ】
0004814673.tif 000016
【図１０Ｃ】
0004814673.tif 000017
【図１１】
0004814673.tif 000018
【図１２】
0004814673.tif 000019
【図１３】
0004814673.tif 000020
【図１４】
0004814673.tif 000021